(57)【要約】【課題】照準望遠鏡を銃に取付けた時、変倍リングが鏡筒と同軸である為に操作性の改善には限界がある。照準望遠鏡の強度精度を損なう事無く、変倍リングの倍率変換操作を軽快に行ない、ズームカムの回転角以下の回転で、最小倍率から最大倍率に変倍する事を可能とする照準望遠鏡を提供する。【解決手段】前述した課題を解決する為に、本発明の倍率変換構造は、対物−接眼の光軸方向（Ａ）に対して、光軸に対する直角方向軸（Ｂ）を軸に変倍リング（９）を配置する。この事により変倍リングは、光軸方向（Ａ）に対して直角の軸で回転する事ができ、変倍リングの操作性の良い照準望遠鏡を提供することができる。【選択図】図１
2008015067.tif 000002
【特許請求の範囲】
【請求項１】
可変倍率を有する照準望遠鏡において、対物−接眼の光軸方向に対して直角の軸方向の変倍リングを有する照準望遠鏡。
【請求項２】
前記の照準望遠鏡の変倍リングは、ズームカムの回転角以下の回転で最小倍率から最高倍率にズーミングが可能なズーム構造を持つ請求項１の照準望遠鏡。
【請求項３】
前記ズーム構造は、ズーミングの為のカム筒の回転を、直角に変換する構造を持つ事を特徴とする請求項２の照準望遠鏡。  
【請求項４】
前記ズーム構造は、鏡筒に変倍リングとカム筒をつなぐ為の広範囲の開口部を設ける事無く、光軸に直角方向に配置された変倍リングにより、ズーミングすることを特徴とする請求項３の照準望遠鏡。
【発明の詳細な説明】
【技術分野】
【０００１】
本発明は、可変倍率を有する照準望遠鏡の倍率変換操作を軽快に行なう為の、倍率変換構造に関するものである。
【背景技術】
【０００２】
従来、可変倍率を有する照準望遠鏡の一般的ズーム機構は、対物−接眼の光軸と同軸の鏡筒の外周に位置した変倍リングの回転を鏡筒内のカム筒に伝達する為に、鏡筒に円弧状の開口溝が設けられている。連結棒状の部品を介して変倍リングとカム筒を連結しており、この連結棒が鏡筒の開口部を摺動する。この開口部は対物−接眼の光軸方向を中心に広角に開口している為、鏡筒に外力が作用した時、開口部が弱いという問題点があった。
【０００３】
この従来の問題点を解決する為に、鏡筒と接眼筒を一体化し堅牢性を持たせた構造が提案されている（特許文献１参照）。又、開口部を狭くする為の構造としてカム筒と変倍リングの間にギヤを設けた機構が提案されている（特許文献２、特許文献３参照）が、いずれも変倍リングは対物−接眼の光軸と同軸で回転する。
【０００４】
照準望遠鏡を銃座に取付ける時、照準誤差を押える為に、なるべく銃身に近い位置に照準望遠鏡を取付ける。この時、照準望遠鏡の変倍リングと銃身の隙間が狭い為、変倍リングを回転する操作を妨げていた。この為、変倍リングに突起を付けたり、変倍リングの外周に弾性的な補助体を用いたりして、操作性の改善をしたものが市場に出ているが、変倍リングが鏡筒と同芯である為に、操作性の改善には限界があった。
【０００５】
銃に取付けた照準望遠鏡を操作する時、低い倍率で標的を確認し、高い倍率に変倍して照準を合わせる必要がある。ズーミングする為のカム筒の回転角の大きさと、前記の変倍リングの操作性の為に、即座に倍率を切り替えすることを困難とさせていた。
【特許文献１】特表平１０−５１２９７７号
【特許文献２】特許第２９２０５９２号
【特許文献３】特開２００６−１０８１０
【発明の開示】
【発明が解決しようとする課題】
【０００６】
照準望遠鏡を銃に取付けた時、変倍リングが鏡筒と同芯である為に操作性を悪くしている。照準望遠鏡の強度・精度を損なう事無く、変倍リングの倍率変換操作を軽快に行ない、ズームカムの回転角以下の回転で、最小倍率から最大倍率に変倍する事を可能とする照準望遠鏡を提供する。
【課題を解決するための手段】
【０００７】
前述した目的を達成する為に、本発明の倍率変換構造は、対物−接眼の光軸方向に対して直角方向軸を持つ変倍リングを有する。操作性を良くする為、銃身より遠い接眼上部、斜め上方向、または微動装置部等に変倍リングを配置することが考えられる。
【０００８】
また前記倍率変換構造は、ズーミングする為のカム筒をワイヤー又は、ギヤ、カム等を介して回転させる。この為、鏡筒に大きな開口部を設ける事無く外部の変倍リングにより、カム筒の回転を駆動することができる。
【０００９】
変倍リングの回転は、ワイヤーで回転させる場合は変倍リング内に持つプーリーにより、ギヤにより回転させる場合はギヤ比の組み合わせにより、カム筒の回転角度より少ない角度でズーミングを可能とする。
【発明の効果】
【００１０】
本発明の倍率変換構造によれば、鏡筒外周に大きな開口部を設ける必要がないので、開口部に対する外力による影響は排除できる。又、変倍リングは銃身から遠い方向に設置できる為、操作性が良くなり、変倍リングの回転角が少なくなることもあり、速やかな倍率切り替えが可能となり、可変倍率を有する照準望遠鏡の使い勝手をいっそう高めることができるという効果が得られる。
【発明を実施するための最良の形態】
【００１１】
以下、本発明による一つの実施形態であるワイヤーとプーリーでの倍率変換構造を、図面に基づいて詳細に説明する。前述の様にワイヤーとプーリーの代わりに、ギアの組み合わせを使用することも可能である。図1は本発明の倍率変換構造を示す断面図。図２は本発明に係る構造を示す斜視図である。また、図３はカム筒（１）とワイヤー（４）との接続部、及び図４は回転するプーリー（５）とワイヤー（４）の接続部の拡大図である。
【００１２】
照準望遠鏡の正立部から接眼部までの構造は図1に示され、照準望遠鏡に本発明の変倍構造の配置された状態を断面図として表しているのが図1である。
【００１３】
ズーミングする為のカム筒（１）は、正立筒（２）の外周に位置し回転方向のみ可能になるよう構成されており、光軸（Ａ）を軸として回転する。カム筒（１）の回転により、正立レンズユニット前（１２）及び正立レンズユニット後（１３）の位置が変化しズーミングされる。
【００１４】
カム筒（１）には、図３の様にワイヤー止めビス（１１）にてワイヤー（４）が円周方向に接続されており、ワイヤー（４）の動きによりカム筒（１）を光軸（Ａ）方向に回転させることができる。
【００１５】
カム筒（１）の外周に接続された円周の左右から出た２本のワイヤー（４）は、鏡筒（３）にある小さな穴を通ってプーリー（５）に接続される。図４に示すように、２本のワイヤー（４）は、１本は右からもう１本は左からプーリー（５）のプーリー外周溝（５−１）に沿ってプーリー底溝（５−２）へと導かれ、プーリー底溝（５−２）よりプーリー中心穴（５−３）に抜ける。プーリー中心穴（５−３）より引き出された２本のワイヤー（４）は、それぞれワイヤー終点ビス（６）にて緩みの無いように止められる。
【００１６】
プーリー（５）はプーリー押え（１０）にて鏡筒（３）に、光軸に対する直角方向軸（Ｂ）に回転するように取付けられる。
【００１７】
変倍リング（９）は、変倍リング止めビス（８）にて、プーリー（５）に取付けられ、変倍リング（９）の回転は、そのままプーリー（５）に伝達される。変倍リング（９）を回転させるとそれに連動してプーリー（５）が回転する。プーリー（５）の回転により２本のワイヤー（４）の一方は引っ張られ、もう一方は緩められる。この動きが鏡筒（３）の穴を介してそのままカム筒（１）に伝達される。カム筒（１）の円周の左右のワイヤー（４）の一方が引っ張られもう一方が緩む為にカム筒（１）は光軸（Ａ）を軸として回転運動を行なう。
【００１８】
変倍リング（９）の回転角は、プーリー（５）とカム筒（１）の外径の違いにより、カム筒（１）の回転角以下の回転で、最小倍率から最大倍率に変倍する事を可能とする事ができる。
【００１９】
光軸（Ａ）を軸として回転するカム筒（１）に対して、変倍リング（９）は、光軸に対する直角方向軸（Ｂ）の回転が可能となる。
【図面の簡単な説明】
【００２０】
【図１】本発明に係る倍率変換構造を示す一実施例の断面図。
【図２】本発明に係る倍率変換構造を示す一実施例の分解斜視図。
【図３】カム筒（１）とワイヤー（４）の接続方法の実施例。
【図４】プーリー（５）とワイヤー（４）の接続方法の実施例。
【符号の説明】
【００２１】
１          カム筒
２          正立筒
３          鏡筒
４          ワイヤー
５          プーリー
５−１      プーリー外周溝
５−２      プーリー底溝
５−３      プーリー中心穴
６          ワイヤー終点ビス
７          蓋
８          変倍リング止めビス
９          変倍リング
１０        プーリー押え
１１        ワイヤー止めビス
１２        正立レンズユニット前
１３        正立レンズユニット後
Ａ          光軸（鏡筒軸）
Ｂ          光軸に対する直角方向軸
【図１】
2008015067.tif 000003
【図２】
2008015067.tif 000004
【図３】
2008015067.tif 000005
【図４】
2008015067.tif 000006